(57)【要約】      （修正有）【課題】ロードセンシング制御を行う建設機械の油圧駆動装置において、アクチュエータの１つがストロークエンドに達し、油圧ポンプの吐出圧がメインリリーフ弁のセット圧まで上昇した場合でも、他方のアクチュエータが停止せず、かつ特定のアクチュエータの操作時にメインリリーフ弁のセット圧が増加するよう構成した場合に、特定のアクチュエータの負荷圧がメインリリーフ弁の増加したセット圧まで上昇しないようにする。【解決手段】走行モータ３ｆ，３ｇが操作され、メインポンプ２の吐出圧がメインリリーフ弁１４のセット圧の第２の値まで上昇したときは、切換弁８０が切り換わり、レギュレータ１２のロードセンシング制御を停止し、メインポンプ２の容量を増加させ、制限トルクの範囲内で最大となるようメインポンプ２の容量を制御する。【選択図】図１
2016008624.tif 000002
【特許請求の範囲】
【請求項１】
原動機により駆動される可変容量型の油圧ポンプと、
この油圧ポンプにより吐出された圧油により駆動される複数のアクチュエータと、
前記油圧ポンプから前記複数のアクチュエータに供給される圧油の流量を制御する複数の流量制御弁と、
前記複数の流量制御弁の前後差圧が目標補償差圧に等しくなるよう前記複数の流量制御弁の前後差圧をそれぞれ制御する複数の圧力補償弁と、
前記油圧ポンプの吐出圧が前記複数のアクチュエータの最高負荷圧より目標差圧だけ高くなるように前記油圧ポンプの容量をロードセンシング制御するロードセンシング制御部を有するポンプ制御装置と、
前記油圧ポンプの吐出圧の最大圧力を制限するメインリリーフ弁と、
前記複数のアクチュエータの最高負荷圧を検出し、検出した最高負荷圧を最高負荷圧ラインに出力する最高負荷圧検出回路と、
前記最高負荷圧ラインに絞りを介して接続され、前記絞りの下流側に導かれた最高負荷圧の最大圧力を前記メインリリーフ弁のセット圧よりも低い圧力に制限する信号圧リリーフ弁とを備え、
前記油圧ポンプの吐出圧と前記絞りの下流側の最高負荷圧との差圧が前記ポンプ制御装置に導かれ、前記ポンプ制御装置は、前記差圧が前記ロードセンシング制御の目標差圧と等しくなるよう前記油圧ポンプの容量を制御するととともに、前記油圧ポンプの吐出圧と前記絞りの下流側の最高負荷圧との差圧が前記目標補償差圧として前記複数の圧力補償弁に導かれる建設機械の油圧駆動装置において、
前記ポンプ制御装置は、前記油圧ポンプの吐出圧が高くなるとき、前記油圧ポンプの吸収トルクが予め設定された制限トルクを超えないように前記油圧ポンプの容量を制御するトルク制御部を更に有し、
前記メインリリーフ弁は、前記複数のアクチュエータのうちの特定のアクチュエータが操作されていないときは、前記メインリリーフ弁のセット圧が第１の値にあり、前記特定のアクチュエータが操作されたときは、前記メインリリーフ弁のセット圧が前記第１の値から前記第１の値よりも大きい第２の値に増加するよう構成され、
前記特定のアクチュエータが操作され、前記メインリリーフ弁のセット圧が前記第１の値から前記第２の値に増加したときに、前記ロードセンシング制御部のロードセンシング制御を停止し、前記油圧ポンプの容量を増加させ、前記トルク制御部の前記制限トルクの範囲内で前記油圧ポンプの容量が最大となるよう前記ポンプ制御装置の制御を切り換える切換弁を設けたことを特徴とする建設機械の油圧駆動装置。
【請求項２】
請求項１に記載の建設機械の油圧駆動装置において、
前記ロードセンシング制御部は、前記油圧ポンプの吐出圧と前記最高負荷圧との差圧により動作する制御弁と、前記制御弁により駆動圧力が制御され、前記メインポンプの容量を制御する容量制御アクチュエータとを有し、
前記切換弁は、前記特定のアクチュエータが操作されておらず、前記メインリリーフ弁のセット圧が前記第１の値にあるときは中立位置にあって、前記制御弁による前記容量制御アクチュエータの駆動圧力の制御を可能とし、前記特定のアクチュエータが操作され、前記メインリリーフ弁のセット圧が第１の値から第２の値に増加したときは前記中立位置から切り換わって、前記制御弁による前記容量制御アクチュエータの駆動圧力の制御を不能とし、前記油圧ポンプの容量が増加するよう前記容量制御アクチュエータの駆動圧力を制御することを特徴とする建設機械の油圧駆動装置。
【請求項３】
請求項２に記載の建設機械の油圧駆動装置において、
前記容量制御アクチュエータは、前記駆動圧力が低下するときに前記油圧ポンプの容量を増加させるように構成され、
前記切換弁は、前記制御弁に前記油圧ポンプの吐出圧と前記最高負荷圧との差圧を導く油路に配置され、前記特定のアクチュエータが操作され、前記メインリリーフ弁のセット圧が第１の値から第２の値に増加したとき、前記油路を遮断し、前記油圧ポンプの吐出圧と前記最高負荷圧との差圧に代えタンク圧を前記制御弁に導くことを特徴とする建設機械の油圧駆動装置。
【請求項４】
請求項２に記載の建設機械の油圧駆動装置において、
前記容量制御アクチュエータは、前記駆動圧力が低下するときに前記油圧ポンプの容量を増加させるように構成され、
前記切換弁は、前記制御弁に前記駆動圧力の元圧を導く油路に配置され、前記特定のアクチュエータが操作され、前記メインリリーフ弁のセット圧が第１の値から第２の値に増加したとき、前記油路を遮断し、前記制御弁に一次圧としてタンク圧を導くことを特徴とする建設機械の油圧駆動装置。
【請求項５】
請求項２に記載の建設機械の油圧駆動装置において、
前記特定のアクチュエータの動作を指令する操作装置を更に備え、
前記メインリリーフ弁は、前記操作装置の操作量が所定の閾値を超えたときに前記セット圧が前記第1の値から前記第２の値に増加するように構成され、
前記切換弁は、前記操作装置の操作量が前記所定の閾値を超え、前記メインリリーフ弁のセット圧が第１の値から第２の値に増加したとき、前記所定の閾値と同じ操作量か、それよりも小さい操作量で切り換わるように構成されていることを特徴とする建設機械の油圧駆動装置。
【請求項６】
請求項１に記載の建設機械の油圧駆動装置において、
前記信号圧リリーフ弁は、前記ロードセンシング制御の目標差圧が小さくなるにしたがって大きくなるように、前記信号圧リリーフ弁のセット圧が可変に構成されていることを特徴とする建設機械の油圧駆動装置。
【請求項７】
請求項１〜６のいずれか１項に記載の建設機械の油圧駆動装置において、
前記建設機械は油圧ショベルであり、
前記特定のアクチュエータは、前記油圧ショベルの走行モータであることを特徴とする建設機械の油圧駆動装置。
【発明の詳細な説明】
【技術分野】
【０００１】
本発明は、可変容量型の油圧ポンプを備えた油圧ショベル等建設機械の油圧駆動装置に係わり、特に、油圧ポンプの吐出圧と複数のアクチュエータの最高負荷圧との差圧を目標差圧に維持するよう油圧ポンプの容量を制御するロードセンシング制御を行う建設機械の油圧駆動装置に関する。
【背景技術】
【０００２】
従来から、油圧ポンプの吐出圧と複数のアクチュエータの最高負荷圧との差圧を目標差圧に維持するように油圧ポンプの容量を制御するロードセンシング制御を行う油圧駆動装置が、油圧ショベルのような建設機械に用いられており、その一例が特許文献１に記載されている。
【０００３】
特許文献１記載の油圧駆動装置においては、油圧ポンプの吐出圧と複数のアクチュエータの最高負荷圧との差圧を絶対圧として出力する差圧減圧弁を設け、この絶対圧をフィードバックLS差圧としてポンプレギュレータのＬＳ制御弁に導き、かつＬＳ制御弁にエンジンの回転数に依存して可変となる絶対圧を目標LS差圧として導き、ロードセンシング制御を行うとともに、差圧減圧弁から出力される絶対圧（油圧ポンプの吐出圧と最高負荷圧との差圧）を複数の圧力補償弁に目標補償差圧として導き、それぞれの流量制御弁の前後差圧を制御している。
【０００４】
このように油圧ポンプの吐出圧と最高負荷圧との差圧を複数の圧力補償弁に目標補償差圧として導きそれぞれの流量制御弁の前後差圧を制御することにより、２つ以上のアクチュエータを同時操作した場合に、油圧ポンプの吐出流量が複数の流量制御弁の要求する流量に満たないサチュレーション状態になったとき、サチュレーションの程度に応じて油圧ポンプの吐出圧と最高負荷圧との差圧が低下し、これに伴って圧力補償弁の目標補償差圧も小さくなり流量制御弁の前後差圧が小さくなるので、油圧ポンプの吐出流量をそれぞれの流量制御弁が要求する流量の比に再分配でき、良好な複合操作性を確保できる。
【０００５】
また、エンジンの回転数に依存して可変となる絶対圧を目標LS差圧としてＬＳ制御弁に導いてロードセンシング制御を行うことにより、エンジン回転数を定格から下げた場合はそれに応じて目標LS差圧が小さくなるので、油圧ポンプからアクチュエータに供給される圧油の流量が減り、微操作性を向上できる。
【０００６】
一方、油圧ポンプの吐出圧と最高負荷圧の差圧を目標補償差圧として複数の圧力補償弁に導く油圧駆動装置においては、２つ以上のアクチュエータを同時操作した場合に、一方のアクチュエータがシリンダタイプであり、そのアクチュエータがストロークエンドに達した際などに、油圧ポンプの吐出圧と最高負荷圧の差圧が０となるため、目標補償差圧も０となり、その結果、各圧力補償弁が全閉となり、他方のアクチュエータが停止してしまう。
【０００７】
特許文献１においては、そのようなアクチュエータの停止を防止するため、最高負荷圧ラインに、目標LS差圧に応じてセット圧が可変となる信号圧可変リリーフ弁を配置し、ある特定のアクチュエータがストロークエンドに達し、油圧ポンプの吐出圧がメインリリーフ弁のセット圧まで上昇した場合に、信号圧可変リリーフ弁によって最高負荷圧の最大圧力をメインリリーフ弁のセット圧よりも低い圧力に制限している。これにより、特定のアクチュエータがストロークエンドに達した場合でも、油圧ポンプの吐出圧と最高負荷圧の差圧が０にならず、圧力補償弁は全閉しないため、他方のアクチュエータは停止せず、良好な複合操作性が保たれる。
【０００８】
一方、ある特定のアクチュエータを操作した場合にのみ、メインリリーフ弁のセット圧を第１の値から第２の値に所定値だけ増加させ、油圧ポンプの最大吐出圧を増加させるようにした、いわゆる昇圧回路が知られており、その一例が特許文献２に記載されている。
【０００９】
特許文献２においては、油圧ショベルのような走行式の掘削機械において、走行操作装置の操作パイロット圧をメインリリーフ弁に導き、走行操作装置の操作レバーを操作した場合にのみ、メインリリーフ弁のセット圧が第１の値から第２の値に増加するようメインリリーフ弁を可変リリーフ弁として構成している。これにより走行操作時に走行モータの必要な出力トルクを確保し、走破性を向上させることができる。
【先行技術文献】
【特許文献】
【００１０】
【特許文献１】特許第３８５４０２７号公報
【特許文献２】実用新案登録２６００９２８号公報
【発明の概要】
【発明が解決しようとする課題】
【００１１】
しかしながら、特許文献１に記載のように、最高負荷圧ラインに信号圧可変リリーフ弁を設けたロードセンシング制御システムの油圧駆動装置において、特許文献２に記載のように、走行操作時にメインリリーフ弁のセット圧が第１の値から第２の値に増加するようにメインリリーフ弁を可変リリーフ弁として構成した場合には、次のような問題があることが分かった。
【００１２】
すなわち、走行操作時に走行モータが障害物や登坂走行面の傾斜などの影響で回転が停止した場合、本来であれば、油圧ポンプの吐出圧はメインリリーフ弁のセット圧の第２の値まで上昇するはずであるが、最高負荷圧の最大圧力が信号圧可変リリーフ弁によって最高負荷圧の最大圧力がメインリリーフ弁のセット圧の第１の値よりも低い圧力に制限されてしまうため、ロードセンシング制御の働きで、油圧ポンプの吐出圧は信号圧可変リリーフ弁によって制限された、メインリリーフ弁のセット圧の第１の値よりも低い最高負荷圧にロードセンシング制御の目標差圧を加算した圧力までしか上昇できなくなる。その結果、走行モータの負荷圧はメインリリーフ弁のセット圧の第２の値まで上昇することができず、メインリリーフ弁のセット圧の増加による走行モータの出力トルク確保の効果が得られなくなる。
【００１３】
本発明の目的は、油圧ポンプの吐出圧と複数のアクチュエータの最高負荷圧との差圧を目標差圧に維持するように油圧ポンプの容量を制御するロードセンシング制御を行う建設機械の油圧駆動装置において、複数のアクチュエータを同時に駆動する複合操作時に、アクチュエータの１つがストロークエンドに達した場合など、油圧ポンプの吐出圧がメインリリーフ弁のセット圧まで上昇した場合でも、他方のアクチュエータが停止せず、かつメインリリーフ弁のセット圧を可変として、特定のアクチュエータの操作時にメインリリーフ弁のセット圧が増加するよう構成した場合に、特定のアクチュエータの負荷圧をメインリリーフ弁の増加したセット圧まで確実に上昇させることができる油圧駆動装置を提供することである。
【課題を解決するための手段】
【００１４】
（１）上記目的を達成するために、本発明は、原動機により駆動される可変容量型の油圧ポンプと、この油圧ポンプにより吐出された圧油により駆動される複数のアクチュエータと、前記油圧ポンプから前記複数のアクチュエータに供給される圧油の流量を制御する複数の流量制御弁と、前記複数の流量制御弁の前後差圧が目標補償差圧に等しくなるよう前記複数の流量制御弁の前後差圧をそれぞれ制御する複数の圧力補償弁と、前記油圧ポンプの吐出圧が前記複数のアクチュエータの最高負荷圧より目標差圧だけ高くなるように前記油圧ポンプの容量をロードセンシング制御するロードセンシング制御部を有するポンプ制御装置と、前記油圧ポンプの吐出圧の最大圧力を制限するメインリリーフ弁と、前記複数のアクチュエータの最高負荷圧を検出し、検出した最高負荷圧を最高負荷圧ラインに出力する最高負荷圧検出回路と、前記最高負荷圧ラインに絞りを介して接続され、前記絞りの下流側に導かれた最高負荷圧の最大圧力を前記メインリリーフ弁のセット圧よりも低い圧力に制限する信号圧リリーフ弁とを備え、前記油圧ポンプの吐出圧と前記絞りの下流側の最高負荷圧との差圧が前記ポンプ制御装置に導かれ、前記ポンプ制御装置は、前記差圧が前記ロードセンシング制御の目標差圧と等しくなるよう前記油圧ポンプの容量を制御するととともに、前記油圧ポンプの吐出圧と前記絞りの下流側の最高負荷圧との差圧が前記目標補償差圧として前記複数の圧力補償弁に導かれる建設機械の油圧駆動装置において、前記ポンプ制御装置は、前記油圧ポンプの吐出圧が高くなるとき、前記油圧ポンプの吸収トルクが予め設定された制限トルクを超えないように前記油圧ポンプの容量を制御するトルク制御部を更に有し、前記メインリリーフ弁は、前記複数のアクチュエータのうちの特定のアクチュエータが操作されていないときは、前記メインリリーフ弁のセット圧が第１の値にあり、前記特定のアクチュエータが操作されたときは、前記メインリリーフ弁のセット圧が前記第１の値から前記第１の値よりも大きい第２の値に増加するよう構成され、前記特定のアクチュエータが操作され、前記メインリリーフ弁のセット圧が前記第１の値から前記第２の値に増加したときに、前記ロードセンシング制御部のロードセンシング制御を停止し、前記油圧ポンプの容量を増加させ、前記トルク制御部の前記制限トルクの範囲内で前記油圧ポンプの容量が最大となるよう前記ポンプ制御装置の制御を切り換える切換弁を設けたものとする。
【００１５】
このようにメインリリーフ弁と信号圧リリーフ弁と切換弁を設けることにより、特定のアクチュエータ以外のアクチュエータの操作時は、信号圧リリーフ弁のセット圧がメインリリーフ弁のセット圧の第１の値よりも低い第３の値にあるため、特定のアクチュエータ以外のアクチュエータがストロークエンドに達し、油圧ポンプの吐出圧がメインリリーフ弁のセット圧の第１の値まで上昇した場合に、最高負荷圧はメインリリーフ弁のセット圧の第１の値よりも低い圧力に制限され、油圧ポンプの吐出圧と最高負荷圧の差圧が０にならず圧力補償弁は全閉しない。これにより特定のアクチュエータ以外のアクチュエータ（他のアクチュエータ）は停止せず、良好な複合操作性が保たれる。
【００１６】
また、特定のアクチュエータの操作時は、メインリリーフ弁のセット圧が第１の値から第２の値に増加するとともに、切換弁がポンプ制御装置の制御を切り換えて、ロードセンシング制御部のロードセンシング制御を停止し、制限トルクの範囲内で油圧ポンプの容量が最大となるため、油圧ポンプの吐出圧がメインリリーフ弁のセット圧の第２の値まで上昇し、特定のアクチュエータの負荷圧をメインリリーフ弁の増加したセット圧の第２の値まで確実に上昇させ、必要な駆動力を確保することができる。
【００１７】
更に、その状態で他のアクチュエータを駆動する複合操作をし、他のアクチュエータがストロークエンドに達し、油圧ポンプの吐出圧がメインリリーフ弁のセット圧の第２の値まで上昇した場合には、特定のアクチュエータ以外のアクチュエータを操作した場合と同様、最高負荷圧はメインリリーフ弁のセット圧の第１の値よりも低い圧力に制限され、油圧ポンプの吐出圧と最高負荷圧の差圧が０にならず圧力補償弁は全閉しないため、この場合も特定のアクチュエータ以外のアクチュエータは停止せず、良好な複合操作性が得られる。
【００１８】
（２）上記（１）の油圧駆動装置において、好ましくは、前記ロードセンシング制御部は、前記油圧ポンプの吐出圧と前記最高負荷圧との差圧により動作する制御弁と、前記制御弁により駆動圧力が制御され、前記メインポンプの容量を制御する容量制御アクチュエータとを有し、前記切換弁は、前記特定のアクチュエータが操作されておらず、前記メインリリーフ弁のセット圧が前記第１の値にあるときは中立位置にあって、前記制御弁による前記容量制御アクチュエータの駆動圧力の制御を可能とし、前記特定のアクチュエータが操作され、前記メインリリーフ弁のセット圧が第１の値から第２の値に増加したときは前記中立位置から切り換わって、前記制御弁による前記容量制御アクチュエータの駆動圧力の制御を不能とし、前記油圧ポンプの容量が増加するよう前記容量制御アクチュエータの駆動圧力を制御する。
【００１９】
これにより切換弁は、特定のアクチュエータが操作され、メインリリーフ弁のセット圧が第１の値から第２の値に増加したときは、ロードセンシング制御部のロードセンシング制御が停止し、トルク制御部の制限トルクの範囲内で油圧ポンプの容量が最大となるようポンプ制御装置の制御が切り換えられる。
【００２０】
（３）上記（２）の油圧駆動装置において、好ましくは、前記容量制御アクチュエータは、前記駆動圧力が低下するときに前記油圧ポンプの容量を増加させるように構成され、前記切換弁は、前記制御弁に前記油圧ポンプの吐出圧と前記最高負荷圧との差圧を導く油路に配置され、前記特定のアクチュエータが操作され、前記メインリリーフ弁のセット圧が第１の値から第２の値に増加したとき、前記油路を遮断し、前記油圧ポンプの吐出圧と前記最高負荷圧との差圧に代えタンク圧を前記制御弁に導く。
【００２１】
これにより切換弁は、特定のアクチュエータが操作され、メインリリーフ弁のセット圧が第１の値から第２の値に増加したときは中立位置から切り換わり、トルク制御部の制限トルクの範囲内で油圧ポンプの容量が最大となるよう容量制御アクチュエータの駆動圧力が制御される。
【００２２】
（４）上記（２）の油圧駆動装置において、前記容量制御アクチュエータは、前記駆動圧力が低下するときに前記油圧ポンプの容量を増加させるように構成され、前記切換弁は、前記制御弁に前記駆動圧力の元圧を導く油路に配置され、前記特定のアクチュエータが操作され、前記メインリリーフ弁のセット圧が第１の値から第２の値に増加したとき、前記油路を遮断し、前記制御弁に一次圧としてタンク圧を導くようにしてもよい。
【００２３】
これによっても切換弁は、特定のアクチュエータが操作され、メインリリーフ弁のセット圧が第１の値から第２の値に増加したときは中立位置から切り換わり、トルク制御部の制限トルクの範囲内で油圧ポンプの容量が最大となるよう容量制御アクチュエータの駆動圧力が制御される。
【００２４】
（５）上記(２)の油圧駆動装置において、また好ましくは、前記特定のアクチュエータの動作を指令する操作装置を更に備え、前記メインリリーフ弁は、前記操作装置の操作量が所定の閾値を超えたときに前記セット圧が前記第1の値から前記第２の値に増加するように構成され、前記切換弁は、前記操作装置の操作量が前記所定の閾値を超え、前記メインリリーフ弁のセット圧が第１の値から第２の値に増加するとき、前記所定の閾値と同じ操作量か、それよりも小さい操作量で切り換わるように構成されている。
【００２５】
これにより切換弁は、メインリリーフ弁のセット圧が第１の値から第２の値に増加するときに確実に中立位置から切り換わり、トルク制御部の制限トルクの範囲内で油圧ポンプの容量が最大となるよう容量制御アクチュエータの駆動圧力が制御される。
【００２６】
（６）上記(１)の油圧駆動装置において、好ましくは、前記信号圧リリーフ弁は、前記ロードセンシング制御の目標差圧が小さくなるにしたがって大きくなるように、前記信号圧リリーフ弁のセット圧が可変に構成されている。
【００２７】
これによりロードセンシング制御の目標差圧がいかなる値に変化したとしても、最高負荷圧の最大圧力はメインリリーフ弁のセット圧よりも低い圧力に制限され、かつ油圧ポンプの吐出圧と最高負荷圧との差圧はロードセンシング制御の目標差圧に応じて変化するようになるので、ロードセンシング制御の目標差圧によらず、良好な複合操作性を得ることができる。
【００２８】
（７）上記（１）〜（６）のいずれかの油圧駆動装置において、好ましくは、前記建設機械は油圧ショベルであり、前記特定のアクチュエータは、前記油圧ショベルの走行モータである。
【００２９】
これにより走行操作時に走行モータの必要な出力トルクを確保し、走破性を向上させることができる。
【発明の効果】
【００３０】
本発明によれば、油圧ポンプの吐出圧と複数のアクチュエータの最高負荷圧との差圧を目標差圧に維持するように油圧ポンプの容量を制御するロードセンシング制御を行う建設機械の油圧駆動装置において、複数のアクチュエータを同時に駆動する複合操作時に、アクチュエータの１つがストロークエンドに達した場合など、油圧ポンプの吐出圧がメインリリーフ弁のセット圧まで上昇した場合でも、他方のアクチュエータが停止せず、良好な複合操作性を得ることができる。また、メインリリーフ弁のセット圧を可変として、特定のアクチュエータの操作時にメインリリーフ弁のセット圧が増加するよう構成した場合に、特定のアクチュエータの負荷圧をメインリリーフ弁の増加したセット圧まで確実に上昇させ、必要な駆動力を確保することができる。
【図面の簡単な説明】
【００３１】
【図１】本発明の一実施の形態に係わる油圧ショベル（建設機械）の油圧駆動装置を示す図である。
【図２】走行操作信号圧力に対するメインリリーフ弁のセット圧の変化（上段）と、走行操作信号圧力に対する切換弁の２つの開口部のそれぞれの開口面積の変化（下段）を示す図である。
【図３】本発明の油圧駆動装置が搭載される油圧ショベルの外観を示す図である。
【図４】比較例を示す図である。
【図５】左側の（ａ）は、図４に示す比較例において、走行以外の操作装置の操作レバーを入力し、メインポンプの吐出圧がメインリリーフ弁のセット圧に達したときの吐出圧と信号圧可変リリーフ弁によって最大圧力が制限された最高負荷との関係を示す図であり、右側の（ｂ）は、図４に示す比較例において、走行操作装置の操作レバーを入力しかつ走行操作信号圧力が閾値以上であり、メインポンプの吐出圧がメインリリーフ弁のセット圧に達したときの吐出圧と信号圧可変リリーフ弁によって最大圧力が制限された最高負荷圧との関係を示す図である。
【図６】左側の（ａ）は、図１に示す実施の形態において、走行以外の操作装置の操作レバーを入力し、メインポンプの吐出圧がメインリリーフ弁のセット圧に達したときの吐出圧と信号圧可変リリーフ弁によって最大圧力が制限された最高負荷圧との関係を示す図であり、右側の（ｂ）は、図１に示す実施の形態において、走行操作装置の操作レバーを入力しかつ走行操作信号圧力が閾値以上であり、メインポンプ２の吐出圧がメインリリーフ弁のセット圧に達したときの吐出圧と信号圧可変リリーフ弁によって最大圧力が制限された最高負荷圧との関係を示す図である。
【図７】本発明の第２の実施の形態に係わる油圧ショベル（建設機械）の油圧駆動装置を示す図である。
【発明を実施するための形態】
【００３２】
以下、本発明の実施の形態を図面に従い説明する。
＜第１の実施の形態＞
〜構成〜
図１は、本発明の第１の実施の形態に係わる油圧ショベル（建設機械）の油圧駆動装置を示す図である。
【００３３】
図１において、本実施の形態の油圧駆動装置は、原動機（例えばディーゼルエンジン）１と、その原動機１によって駆動され、圧油供給路５に圧油を吐出する可変容量型のメインポンプ２（油圧ポンプ）と、原動機１によって駆動され、圧油供給路３１ａに圧油を吐出する固定容量型のパイロットポンプ３０と、メインポンプ２によって吐出される圧油により駆動される複数のアクチュエータ３ａ，３ｂ，３ｃ，３ｄ，３ｅ，３ｆ，３ｇ，３ｈと、圧油供給路５に接続され、メインポンプ２から複数のアクチュエータ３ａ〜３ｈに供給される圧油の流れを制御するコントロールバルブユニット４と、ロードセンシング制御とトルク制御によりメインポンプ２の吐出流量を制御するレギュレータ１２（ポンプ制御装置）とを備えている。
【００３４】
コントロールバルブユニット４は、圧油供給路５に接続され、メインポンプ２から複数のアクチュエータ３ａ〜３ｈに供給される圧油の流量・流れ方向を制御する複数の流量制御弁６ａ，６ｂ，６ｃ，６ｄ，６ｅ，６ｆ，６ｇ，６ｈと、複数の流量制御弁６ａ〜６ｈの前後差圧が目標補償差圧に等しくなるよう複数の流量制御弁６ａ〜６ｈの前後差圧をそれぞれ制御し、複数の流量制御弁６ａ〜６ｈにより制御される圧油の流量が複数の流量制御弁６ａ〜６ｊのメータインの開口面積に比例するよう制御する複数の圧力補償弁７ａ，７ｂ，７ｃ，７ｄ，７ｅ，７ｆ，７ｇ，７ｈと、圧油供給路５に接続され、圧油供給路５の圧力（メインポンプ２の吐出圧）Ppの最大圧力を制限するメインリリーフ弁１４と、圧油供給路５に接続され、圧油供給路５の圧力（メインポンプ２の吐出圧）Ppがアクチュエータ３ａ〜３ｈの最高負荷圧にアンロード差圧Pun0を加算したセット圧（アンロード圧）よりも高くなると開状態になって圧油供給路５の圧油をタンクに戻すアンロード弁１５と、流量制御弁６ａ〜６ｈの負荷ポートにトーナメント方式で接続され、アクチュエータ３ａ〜３ｈの最高負荷圧Plmaxを検出するシャトル弁９ａ，９ｂ，９ｃ，９ｄ，９ｅ，９ｆ，９ｇを有し、最終段のシャトル弁９ｇの出力ポートに接続された最高負荷圧ライン３５に検出した最高負荷圧Plmaxを出力する最高負荷圧検出回路９と、最高負荷圧ライン３５に絞り（固定絞り）１７を介して接続され、最高負荷圧ライン３５の絞り１７の下流側に導かれた最高負荷圧Plmaxaの最大圧力をメインリリーフ弁１４のセット圧よりも低い圧力に制限する信号圧リリーフ弁１６と、メインポンプ２の吐出圧Ppと最高負荷圧ライン３５の絞り１７の下流側の最高負荷圧Plmaxaとの差圧を絶対圧Plsとして出力する差圧減圧弁１１とを備えている。
【００３５】
アクチュエータ３ａは、例えば油圧ショベルのブーム１０４ａ（図３）を駆動するブームシリンダであり、アクチュエータ３ｂは、例えば油圧ショベルのアーム１０４ｂ（図３）を駆動するアームシリンダであり、アクチュエータ３ｃは、例えば油圧ショベルの上部旋回体１０９（図３）を駆動する旋回モータであり、アクチュエータ３ｄは、例えばバケット１０４ｃ（図３）を駆動するバケットシリンダ、アクチュエータ３ｅは、例えばスイングポスト１０３（図３）を駆動するスイングシリンダであり、アクチュエータ３ｆは、例えば下部走行体の左側履帯１０１ａ（図３）を駆動する左走行モータであり、アクチュエータ３ｇは，例えば油圧ショベルの下部走行体の右側履帯１０１ｂ（図３）を駆動する右走行モータであり、アクチュエータ３ｈは、例えばブレード１０６（図３）を駆動するブレードシリンダである。
【００３６】
また、本実施の形態の油圧駆動装置は、上記の構成に加えて、パイロットポンプ３０の圧油供給路３１ａに接続され、パイロットポンプ３０の吐出流量を絶対圧PGRとして検出する原動機回転数検出弁１３と、原動機回転数検出弁１３の下流側のパイロット圧油供給路３１ｂに接続され、パイロット圧油供給路３１ｂに一定のパイロット圧Ppiを生成するパイロットリリーフ弁３２と、パイロット圧油供給路３１ｂに接続され、ゲートロックレバー２４により下流側の圧油供給路３１ｃを圧油供給路３１ｂに接続するかタンクに接続するかを切り替えるゲートロック弁１００と、ゲートロック弁１００の下流側のパイロット圧油供給路３１ｃに接続され、一定のパイロット圧Ppiに基づいて流量制御弁６ａ〜６ｈを切り換え操作するための操作パイロット圧ａ１，ａ２；ｂ１，ｂ２；ｃ１，ｃ２；ｄ１，ｄ２；ｅ１，ｅ２；ｆ１，ｆ２；ｇ１，ｇ２；ｈ１，ｈ２を生成する１対のパイロットバルブ（減圧弁）をそれぞれ備えた複数のパイロットバルブユニット６０ａ，６０ｂ，６０ｃ，６０ｄ，６０ｅ，６０ｆ，６０ｇ，６０ｈと、パイロットバルブユニット６０ｆ，６０ｇの１対のパイロットバルブの出力ラインにトーナメント方式で接続されたシャトル弁７０ａ，７０ｂ，７０ｃを備えた走行操作検出回路（特定アクチュエータ操作検出回路）７０と、差圧減圧弁１１から出力された絶対圧Plsをレギュレータ１２のＬＳ制御弁１２ｂ（後述）に導く信号圧力ライン５３に配置された切換弁８０とを備えている。
【００３７】
原動機回転数検出弁１３は、パイロットポンプ３０の圧油供給路３１ａとパイロット圧油供給路３１ｂとの間に接続された流量検出弁５０と、その流量検出弁５０の前後差圧を絶対圧PGRとして出力する差圧減圧弁５１とを有している。
【００３８】
流量検出弁５０は通過流量（パイロットポンプ３０の吐出流量）が増大するにしたがって開口面積を大きくする可変絞り部５０ａを有している。パイロットポンプ３０の吐出油は流量検出弁５０の可変絞り部５０ａを通過してパイロット油路３１ｂ側へと流れる。このとき、流量検出弁５０の可変絞り部５０ａには通過流量が増加するにしたがって大きくなる前後差圧が発生し、差圧減圧弁５１はその前後差圧を絶対圧PGRとして信号圧力ライン５２に出力する。パイロットポンプ３０の吐出流量は原動機１の回転数によって変化するため、可変絞り部５０ａの前後差圧を検出することにより、パイロットポンプ３０の吐出流量を検出することができ、原動機１の回転数を検出することができる。
【００３９】
パイロットバルブユニット６０ａ，６０ｂ，６０ｃ，６０ｄ，６０ｅ，６０ｆ，６０ｇ，６０ｈは、それぞれ、ブーム用の操作装置１２３ａ、アーム用の操作装置１２２ａ、旋回用の操作装置１２２ｂ、バケット用の操作装置１２３ｂ、スイング用の操作装置１２５、左走行用の操作装置１２４ａ、右走行用の操作装置１２４ｂ、ブレード用の操作装置１２６に備えられ、オペレータが操作レバーを操作することにより動作し、対応する操作パイロット圧ａ１，ａ２；ｂ１，ｂ２；ｃ１，ｃ２；ｄ１，ｄ２；ｅ１，ｅ２；ｆ１，ｆ２；ｇ１，ｇ２；ｈ１，ｈ２を生成するようになっている。
【００４０】
シャトル弁７０ａ，７０ｂ，７０ｃが接続されるパイロットバルブユニット６０ｆ，６０ｇは走行用であり、走行用の操作装置１２４ａ，１２４ｂが操作されたときに対応する操作パイロット圧（操作パイロット圧ｆ１，ｆ２；ｇ１，ｇ２のうちの最も高い圧力）が走行操作信号圧力Ptpiとしてシャトル弁７０ａ，７０ｂ，７０ｃによって検出され、最終段のシャトル弁７０ｃの出力ポートに接続された信号圧力ライン３６，３６ａ，３６ｂに検出した走行操作信号圧力Ptpiが出力される。
【００４１】
原動機回転数検出弁１３の差圧減圧弁５１から出力された絶対圧PGRは目標LS差圧としてレギュレータ１２に導かれるとともに、アンロード弁１５の閉方向作動側にセット圧Pun0の一部として導かれる。差圧減圧弁１１から出力された絶対圧Plsは切換弁８０を介してメインポンプ２のレギュレータ１２にフィードバックLS差圧として導かれるとともに、圧力補償弁７ａ〜７ｈの開方向作動側に目標補償差圧として導かれる。また、原動機回転数検出弁１３の差圧減圧弁５１から出力された絶対圧PGRは信号圧リリーフ弁１６にセット圧PA（後述する）の一部として導かれる。一方、走行操作検出回路７０によって検出された走行操作信号圧力Ptpiはメインリリーフ弁１４にセット圧PS（後述する）の一部として導かれるとともに、切換弁８０にも切換駆動圧力として導かれる。
【００４２】
レギュレータ１２は、ＬＳ制御弁１２ｂと、ＬＳ制御ピストン（容量制御アクチュエータ）１２ｃと、トルク制御（馬力制御）ピストン（容量制御アクチュエータ）１２ｄと、バネ１２ｅとを有している。
【００４３】
ＬＳ制御弁１２ｂは、ＬＳ制御ピストン１２ｃに一定のパイロット圧Ppiを導く方向に作動する側の端部に受圧部１２ｂ１を有し、ＬＳ制御ピストン１２ｃの圧油をタンクに放出する方向に作動する側の端部に受圧部１２ｂ２を有している。受圧部１２ｂ１に差圧減圧弁１１から出力され切換弁８０を経由した絶対圧Pls（フィードバックLS差圧）が導かれ、受圧部１２ｂ２に原動機回転数検出弁１３から出力された絶対圧PGR（目標LS差圧）が導かれ、Pls＞PGRのときＬＳ制御弁１２ｂは一定のパイロット圧PpiをＬＳ制御ピストン１２ｃに導き、Pls＜PGRのときＬＳ制御弁１２ｂはＬＳ制御ピストン１２ｃの圧油をタンクに放出するよう動作する。ＬＳ制御ピストン１２ｃは、一定のパイロット圧Ppiが導かれ、圧力が上昇するとメインポンプ２の傾転（容量）を減少させ、圧油がタンクに放出され、圧力が減少するとメインポンプ２の傾転（容量）を増加させるよう動作する。これにより差圧減圧弁１１から出力された絶対圧Pls（メインポンプ２の吐出圧Ppと最高負荷圧ライン３５の絞り１７の下流側の最高負荷圧Plmaxaとの差圧（フィードバックLS差圧）が原動機回転数検出弁１３から出力された絶対圧PGR（目標LS差圧）に等しくなるよう制御され、その結果、メインポンプ２の吐出圧がアクチュエータ３ａ〜３ｈの最高負荷圧Plmaxaより目標差圧PGRだけ高くなるように制御される。このようにＬＳ制御弁１２ｂとＬＳ制御ピストン１２ｃは、メインポンプ２の吐出圧がアクチュエータ３ａ〜３ｈの最高負荷圧Plmaxaより目標差圧PGRだけ高くなるようメインポンプ２の容量を制御するロードセンシング制御部を構成している。
【００４４】
トルク制御ピストン１２ｄは、メインポンプ２の吐出圧が導かれ、その吐出圧の上昇によってメインポンプ２の傾転（容量）を減少させることで、メインポンプ２の吸収トルクが所定トルクを超えないようにトルク制御を行う。バネ１２ｅはそのトルク制御の制限トルクを設定する。これによりトルク制御ピストン１２ｄとバネ１２ｅは、メインポンプ２の吐出圧が高くなるとき、メインポンプ２の吸収トルクが所定の制限トルクを超えないようにメインポンプ２の容量を制御するトルク制御部を構成している。
【００４５】
圧力補償弁７ａ〜７ｈは、開方向作動側に差圧減圧弁１１から出力された絶対圧Plsが導かれる受圧部７ａ１，７ｂ１，７ｃ１，７ｄ１，７ｅ１，７ｆ１，７ｇ１，７ｈ１を有し、絶対圧Plsが目標補償差圧として設定される。圧力補償弁７ａ〜７ｈは流量制御弁６ａ〜６ｈの前後差圧が目標補償差圧に等しくなるように制御する。これにより複数のアクチュエータを同時に駆動する複合操作時に、アクチュエータの負荷圧の大小に係わらず、流量制御弁の開口面積比に応じてメインポンプ２の吐出流量を分配し、良好な複合操作性を確保することができる。また、メインポンプ２の吐出流量が要求流量に満たないサチュレーション状態になった場合は、その供給不足の程度に応じて差圧減圧弁１１が出力する絶対圧Plsが低下し、圧力補償弁の目標補償差圧が低下するため、この場合も流量制御弁の開口面積比に応じてメインポンプ２吐出流量を分配し、良好な複合操作性を確保することができる。
【００４６】
アンロード弁１５は、閉方向作動側に原動機回転数検出弁１３から出力された絶対圧PGR（目標LS差圧）が導かれる受圧部１５ａを有し、かつ同じ閉方向作動側にバネ１５ｂが配置されている。また、アンロード弁１５は、開方向作動側に圧油供給路５の圧力（メインポンプ２の吐出圧）Ppが印加され、閉方向作動側に最高負荷圧検出回路９によって検出された最高負荷圧Plmaxが印加される構成となっている。アンロード弁１５のセット圧は、絶対圧PGR（目標LS差圧）とバネ１５ｂの付勢力と最高負荷圧Plmaxとによって規定される。すなわち、アンロード弁１５のセット圧は、絶対圧PGR（目標LS差圧）とバネ１５ｂの付勢力の圧力換算値と最高負荷圧Plmaxとを加算した圧力として与えられ、メインポンプ２の吐出圧Ppがアンロード弁１５のセット圧よりも高くなるとアンロード弁１５は開状態になって圧油供給路５の圧油をタンクに戻すよう動作し、これによりメインポンプ２の吐出圧Ppが目標LS差圧PGRにバネ１５ａの付勢力の圧力換算値を加算した圧力よりも高くならないように制御される。バネ１５ａの付勢力の圧力換算値は通常目標LS差圧PGRよりも小さい値である。
【００４７】
メインリリーフ弁１４は閉方向作動側にバネ１４ａと受圧部１４ｂ（第１受圧部）とを有し、受圧部１４ｂは信号圧力ライン３６ａに接続され、走行操作検出回路７０によって検出された走行操作信号圧力Ptpiが印加される。走行用の操作装置１２４ａ，１２４ｂのいずれも操作されておらず、走行操作信号圧力Ptpiがタンク圧であるとき、メインリリーフ弁１４のセット圧PSはバネ１４ａで設定した第１の値PS1である。走行用の操作装置１２４ａ，１２４ｂの少なくとも１つが操作され、走行操作信号圧力Ptpiが閾値Ptr1以上となったとき、メインリリーフ弁１４のセット圧PSはバネ１４ａと受圧部１４ｂに印加される走行操作信号圧力Ptpiとにより第１の値PS1から第１の値PS1よりも大きい第２の値PS2に増加する。このようにメインリリーフ弁１４は、メインリリーフ弁１４はセット圧PSが受圧部１４ｂに印加される走行操作信号圧力Ptpiによって２値PS1，PS2に変化する可変リリーフ弁として構成されている。
【００４８】
信号圧リリーフ弁１６は、閉方向作動側にバネ１６ａを有しかつ開方向作動側に第１受圧部１６ｂを有し、受圧部１６ｂは信号圧力ライン５２に接続され、信号圧リリーフ弁１６は、セット圧PAが受圧部１４ｂに印加される原動機回転数検出弁１３の出力圧（絶対圧）PGRによって変化する可変リリーフ弁として構成されている。以下において、信号圧リリーフ弁１６を信号圧可変リリーフ弁という。
【００４９】
ここで、バネ１６ａは圧力値PS1＋α相当のバネ常数を持つように構成されており、信号圧可変リリーフ弁１６のセット圧PAはバネ１６ａと受圧部１６ｂに印加される受圧部１６ｂに印加される絶対圧PGRとにより下式になるように制御される。
【００５０】
PA＝PS1＋α−PGR
上式を変形すると、
PA＝PS1−（PGR−α）
なお、αは０より大きくPGR未満のＬＳ制御調整値である（０＜α＜PGR）。
【００５１】
すなわち、信号圧リリーフ弁１６のセット圧PAは、走行用の操作装置１２４ａ，１２４ｂのいずれも操作されておらず、走行操作信号圧力Ptpiがタンク圧であるときのメインリリーフ弁１４のセット圧PS1よりもPGR−αだけ低い値となるよう制御され。PGR−αは目標LS差圧（ロードセンシング制御の目標差圧）PGRよりも小さい値である。これにより信号圧リリーフ弁１６は、絞り１７の下流側に導かれた最高負荷圧の最大圧力Plmaxaを走行用の操作装置１２４ａ，１２４ｂのいずれも操作されていないときのメインリリーフ弁１４のセット圧PS1よりも低い圧力に制限する。
【００５２】
切換弁８０は、差圧減圧弁１１から出力された絶対圧PlsをＬＳ制御弁１２の受圧部１２ｂ１に導く方向に作動する側の端部にバネ８０ａを有し、ＬＳ制御弁１２の受圧部１２ｂ１にタンク圧を導く方向に作動する側の端部に受圧部８０ｂを有し、受圧部８０ｂに走行操作検出回路７０によって検出された走行操作信号圧力Ptpiがバネ８０ａと対向する向きに導かれている。受圧部８０ｂに導かれた走行操作信号圧力Ptpiがバネ８０ａで設定した圧力よりも低いとき、切換弁８０は図示の中立位置にあって、差圧減圧弁１１から出力され絶対圧PlsをＬＳ制御弁１２の受圧部１２ｂ１に導き、走行操作信号圧力Ptpiがバネ８０ａで設定した圧力以上になると、切換弁８０は図示の中立位置から切り換わって、ＬＳ制御弁１２の受圧部１２ｂ１にタンク圧を導く。これにより切換弁８０は、走行用の操作装置１２４ａ，１２４ｂのいずれも操作されておらず、走行操作信号圧力Ptpiがタンク圧であり、メインリリーフ弁１４のセット圧PSが第１の値PS1にあるときは、中立位置にあって、ＬＳ制御弁１２ｂによるＬＳ制御ピストン（容量制御アクチュエータ）１２ｃの駆動圧力の制御を可能とし、走行用の操作装置１２４ａ，１２４ｂの少なくとも１つが操作され、走行操作信号圧力Ptpiが閾値Ptr1以上となり、メインリリーフ弁１４のセット圧PSが第１の値PS1から第２の値PS2に増加したときは、中立位置から切り換わって、ＬＳ制御弁１２ｂによるＬＳ制御ピストン（容量制御アクチュエータ）１２ｃの駆動圧力の制御を不能とし、メインポンプ２の容量が増加するようＬＳ制御ピストン１２ｃの駆動圧力を制御する。
【００５３】
言い換えれば、切換弁８０は、走行用の操作装置１２４ａ，１２４ｂの少なくとも１つが操作され、走行操作信号圧力Ptpiが閾値Ptr1以上となり、メインリリーフ弁１４のセット圧PSが第１の値PS1から第２の値PS2に増加したときは、ＬＳ制御弁１２の制御（ロードセンシング制御）を停止し、メインポンプ２の容量を増加させ、トルク制御部の制限トルクの範囲内でメインポンプ２の容量が最大となるようレギュレータ１２（ポンプ制御装置）の制御を切り換える。
【００５４】
ここで、バネ８０ａで設定される切換弁８０の切換圧力は、メインリリーフ弁１４のセット圧PSが第１の値PS1から第２の値PS2に増加するときの走行操作信号圧力Ptpiの閾値Ptr1と同じかそれ以下に設定されている。これにより切換弁８０は、メインリリーフ弁１４のセット圧が第１の値PS1から第２の値PS2に増加するときに確実に中立位置から切り換わり、トルク制御部の制限トルクの範囲内でメインポンプ２の容量が最大となるようＬＳ制御ピストン１２ｃの駆動圧力を制御することができる。
【００５５】
図２は、走行操作信号圧力Ptpiに対するメインリリーフ弁１４のセット圧の変化（上段）と、走行操作信号圧力Ptpiに対する切換弁８０の２つの開口部P-A及びA-Tのそれぞれの開口面積AP-A，AA-Tの変化（下段）を示す図である。図中、上段、下段とも、横軸が走行操作検出回路７０によって検出された走行操作信号圧力Ptpiであり、上段の縦軸はメインリリーフ弁１４のセット圧PS、下段の縦軸は開口部P-A及びA-Tの開口面積AP-A，AA-Tである。開口部P-Aは、差圧減圧弁１１から出力された絶対圧PlsをＬＳ制御弁１２ｂの受圧部１２ｂ１に導くバルブ流路の開口部を意味し、開口部A-Tは、ＬＳ制御弁１２ｂの受圧部１２ｂ１をタンクに接続するバルブ流路の開口部を意味している。
【００５６】
図２の上段において、走行操作信号圧力Ptpiが閾値Ptr1よりも低いとき、メインリリーフ弁１４のセット圧PSはバネ１４ａで設定した第１の値PS1であり、
走行操作信号圧力Ptpiが閾値Ptr1以上になると、メインリリーフ弁１４のセット圧PSはバネ１４ａと受圧部１４ｂに印加される走行操作信号圧力Ptpiとにより第２の値PS2に増加する。
【００５７】
また、図２の下段において、走行操作信号圧力Ptpiが閾値Ptr2（＜Ptr1）よりも低いとき、切換弁８０の開口部P-Aの開口面積AP-Aは最大AP-Amaxであり、開口部A-Tの開口面積AA-Tは０である。走行操作信号圧力Ptpiが閾値Ptr3（＜Ptr1でかつ＞Ptr2）以上になると、切換弁８０の開口部P-Aの開口面積AP-Aは０となり、開口部A-Tの開口面積AA-Tは最大AA-Tmaxとなる。ここで、Ptr2＜Ptr3＜Ptr1であり、Ptr2〜Ptr3は、開口部P-Aが最大からゼロに、開口部A-Tが０から最大に切り換わるのに要する切換変化圧力である。
【００５８】
ここで、走行用の操作装置１２４ａ，１２４ｂは走行モータ３ｆ、３ｇの動作を指令する操作装置であり、走行用の操作装置１２４ａ，１２４ｂが操作されたとき、走行用のパイロットバルブユニット６０ｆ，６０ｇは走行用の操作装置１２４ａ，１２４ｂの操作量に応じた操作パイロット圧ｆ１，ｆ２；ｇ１，ｇ２を生成し、そのうちの最も高い圧力が走行操作信号圧力Ptpiとして検出される。したがって、切換弁８０は、走行用の操作装置１２４ａ，１２４ｂの操作量が所定の閾値を超え、メインリリーフ弁１４のセット圧が第１の値PS1から第２の値PS2に増加したとき、当該所定の閾値と同じ操作量か、それよりも小さい操作量で切り換わるように構成されていると言うことができる。
【００５９】
図３は、上述した油圧駆動装置が搭載される油圧ショベルの外観を示す図である。
【００６０】
図３において、作業機械としてよく知られている油圧ショベルは、下部走行体１０１と、上部旋回体１０９と、スイング式のフロント作業機１０４を備え、フロント作業機１０４は、ブーム１０４ａ、アーム１０４ｂ、バケット１０４ｃから構成されている。上部旋回体１０９は下部走行体１０１に対して旋回モータ３ｃによって旋回可能である。上部旋回体１０９の前部にはスイングポスト１０３が取り付けられ、このスイングポスト１０３にフロント作業機１０４が上下動可能に取り付けられている。スイングポスト１０３はスイングシリンダ３ｅの伸縮により上部旋回体１０９に対して水平方向に回動可能であり、フロント作業機１０４のブーム１０４ａ、アーム１０４ｂ、バケット１０４ｃはブームシリンダ３ａ，アームシリンダ３ｂ，バケットシリンダ３ｄの伸縮により上下方向に回動可能である。下部走行体１０２の中央フレームには、ブレードシリンダ３ｈの伸縮により上下動作を行うブレード１０６が取り付けられている。下部走行体１０１は、走行モータ３ｆ，３ｇの回転により左右の履帯１０１ａ，１０１ｂを駆動することによって走行を行う。
【００６１】
上部旋回体１０９にはキャノピータイプの運転室１０８が設置され、運転室１０８内には、運転席１２１、フロント／旋回用の左右の操作装置１２２，１２３（図３では左側のみ図示）、走行用の操作装置１２４ａ，１２４ｂ（図４では左側のみ図示）、スイング用の操作装置１２５（図１参照）及びブレード用の操作装置１２６（図１参照）、ゲートロックレバー２４等が設けられている。操作装置１２２，１２３の操作レバーは中立位置から十字方向を基準とした任意の方向に操作可能であり、左側の操作装置１２２の操作レバーを前後方向に操作するとき、操作装置１２２は旋回用の操作装置１２２ｂ（図１）として機能し、同操作装置１２２の操作レバーを左右方向に操作するとき、操作装置１２２はアーム用の操作装置１２２ａ（図１）として機能し、右側の操作装置１２３の操作レバーを前後方向に操作するとき、操作装置１２３はブーム用の操作装置１２３ａ（図１）として機能し、同操作装置１２３の操作レバーを左右方向に操作するとき、操作装置１２３はバケット用の操作装置１２３ｂ（図１）として機能する。
【００６２】
〜比較例〜
図４は、比較例を示す図である。この比較例は、図１に示した本実施の形態の油圧駆動装置において、切換弁８０が配置されておらず、差圧減圧弁１１から出力された絶対圧Plsが信号圧力ライン５３を介してダイレクトにＬＳ制御弁１２ｂの受圧部１２ｂ１に導かれるようにしたものである。言い換えれば、特許文献１に記載のように、最高負荷圧ライン３５に信号圧可変リリーフ弁１６を設けたロードセンシング制御システムの油圧駆動装置において、特許文献２に記載のように、走行操作時にメインリリーフ弁１４のセット圧が第１の値PS1から第２の値PS2に増加するようにメインリリーフ弁１４を可変リリーフ弁として構成した場合のものである。
【００６３】
図４に示す比較例のそれ以外の構成は図１に示した本実施の形態の油圧駆動装置と同じである。
【００６４】
比較例においては、信号圧可変リリーフ弁１６を設けたので、走行用の操作装置１２４ａ，１２４ｂのいずれも操作されておらず、走行操作信号圧力Ptpiがタンク圧であるときは、信号圧可変リリーフ弁１６の働きで、差圧減圧弁１１に導かれる最高負荷圧Plmaxaは信号圧可変リリーフ弁１６のセット圧PS1−（PGR−α）に制限されるため、ブームシリンダ３ａなどシリンダタイプのアクチュエータがストロークエンドに達した場合においても、差圧減圧弁１１から出力される絶対圧Plsが０になることがない。このため、その状態で他のアクチュエータを複合操作している場合は、その他のアクチュエータが動作を停止することがない。
【００６５】
しかし、比較例には次のような問題がある。
【００６６】
メインリリーフ弁１４は、走行用の操作装置１２４ａ，１２４ｂの少なくとも１つが操作され、走行操作信号圧力Ptpiが閾値Ptr以上となったときにのみ、メインリリーフ弁１４のセット圧をPS1からPS2に増加させる。その目的は、走行時に走行モータ３ｆ，３ｇの必要な出力トルクを確保し、走破性を向上するためである。
【００６７】
しかしながら、比較例１の構成では、走行操作時に走行モータ３ｆ，３ｇが障害物や登坂走行面の傾斜などの影響で回転が停止した場合、ロードセンシング制御の働きで、メインポンプ２の吐出圧Ppはメインリリーフ弁１４のセット圧の第２の値PS2よりも低い、信号圧可変リリーフ弁１６によって制限された最高負荷圧Plmaxaにロードセンシング制御の目標差圧PGRを加算した圧力までしか上昇できなくなる。その結果、走行モータ３ｆ，３ｇの負荷圧はメインリリーフ弁１４のセット圧の第２の値PS2まで上昇せず、メインリリーフ弁１４のセット圧の増加による走行モータ３ｆ，３ｇの出力トルク確保の効果が得られなくなる。
【００６８】
図５の左側（ａ）は、図４に示す比較例において、走行以外の操作装置の操作レバーを入力し、メインポンプ２の吐出圧Ppがメインリリーフ弁１４のセット圧PS1に達したときの吐出圧Ppと信号圧可変リリーフ弁１６によって最大圧力が制限された最高負荷圧Plmaxaとの関係を示す図である。
【００６９】
走行モータ３ｆ，３ｇ以外のアクチュエータ（例えばブームシリンダ３ａ）がストロークエンドに達した場合、図５の左側（ａ）に示すように、アクチュエータの負荷圧が上昇し、メインポンプ２の吐出圧Ppはセット圧の第１の値PS1まで上昇する。このとき、最高負荷圧ライン３５の絞り１７の下流側の最高負荷圧Plmaxaは信号圧可変リリーフ弁１６によってPS1−（PGR−α）に制限され、この最高負荷圧Plmaxaが差圧減圧弁１１に導かれる。差圧減圧弁１１から出力された絶対圧Plsは目標補償差圧として圧力補償弁７ａ〜７ｈに導かれる。このとき、目標補償差圧（Pp−Plmaxa）は０より大きくPGR未満の値に保たれるので、圧力補償弁７ａ〜７ｈが全閉にならず、この状態で他のアクチュエータを複合動作させることができる。
【００７０】
また、信号圧可変リリーフ弁１６の受圧部１６ｂには原動機回転数検出弁１３によって出力され目標LS差圧となる絶対圧PGRが導かれる。このため、いかなる原動機回転数の場合でも信号圧可変リリーフ弁１６によって最高負荷圧PlmaxaがPS1−（PGR−α）に制限されるので、原動機１の回転数によらず、良好な複合操作性を得ることができる。
【００７１】
一方、走行用の操作装置１２４ａ，１２４ｂの少なくとも１つが操作され、走行操作信号圧力Ptpiが閾値Ptr以上となったときには、走行操作信号圧力Ptpiによってメインリリーフ弁１４のセット圧が第１の値PS1から第２の値PS2へと増加する。
【００７２】
図５の右側（ｂ）は、図４に示す比較例において、走行用の操作装置１２４ａ，１２４ｂの少なくとも１つが操作され、走行操作信号圧力Ptpiが閾値Ptr以上となり、メインポンプ２の吐出圧Ppがメインリリーフ弁１４のセット圧PS2に達したときの吐出圧Ppと信号圧可変リリーフ弁１６によって最大圧力が制限された最高負荷圧Plmaxaとの関係を示す図である。
【００７３】
走行モータ３ｆ，３ｇが障害物や登坂走行面の傾斜などの影響で回転が停止した場合、図５の右側（ｂ）に示すように、走行操作レバーの入力に伴い走行モータ３ｆ，３ｇの負荷圧が上昇し、メインポンプ２の吐出圧PpがPS2まで一旦上昇する。
【００７４】
しかし、一方において、前述のように、信号圧可変リリーフ弁１６によって最高負荷圧PlmaxaはPS1−（PGR−α）に制限されるので、差圧減圧弁１１から出力される絶対圧Pls（Pp−Plmaxa）はPGR＋（PS2−PS1）−αとなる。PS2−PS1＝ΔPt1であり、通常、ΔPt1は目標LS差圧であるPGRよりも大きな値に設定される。このため絶対圧Plsは目標LS差圧であるPGRよりも大きくなってしまう。
【００７５】
メインポンプ２レギュレータ１２に設けられたＬＳ制御弁１２ｂの図４中左端にPGRが、図４中右端にPlsがそれぞれ導かれているので、Pls＞PGRの場合には、ＬＳ制御弁１２ｂは図４中で左方向に押されて右側の位置に切り換わり、パイロットリリーフ弁３２によって一定の値に保たれたパイロット一次圧がＬＳ制御弁１２ｂを介してＬＳ制御ピストン１２ｃに導かれ、ＬＳ制御ピストン１２ｃによってメインポンプ２の傾転を小さくする。メインポンプ２の傾転減少は、PlsがPGRに等しくなるまで継続する。その結果、図５Ｂに示すように、メインポンプ２の吐出圧PpはPS1＋αまで低下し維持される。
【００７６】
つまり、走行モータ３ｆ，３ｇの負荷圧が走行操作時のメインリリーフ弁１４のセット圧であるPS2まで上がらないということになり、メインリリーフ弁１４を可変にしているにも係わらず、必要な走行モータ３ｆ，３ｇの出力トルクが得られないという問題が発生する。
【００７７】
〜動作〜
次に、図１に示した本実施の形態の動作を説明する。
【００７８】
まず、原動機１によって駆動される固定容量型のパイロットポンプ３０から吐出された圧油は、圧油供給路３１ａに供給される。圧油供給路３１ａには原動機回転数検出弁１３が接続されており、原動機回転数検出弁１３は流量検出弁５０と差圧減圧弁５１によりパイロットポンプ３０の吐出流量に応じた流量検出弁５０の前後差圧を絶対圧PGR（目標LS差圧）として出力する。原動機回転数検出弁１３の下流にはパイロットリリーフ弁３２が接続されており、パイロット圧油供給路３１ｂに一定の圧力（パイロット一次圧）Ppiを生成している。
【００７９】
（ａ）全ての操作装置の操作レバーが中立の場合
全ての操作装置の操作レバーが中立の場合、メインリリーフ弁１４の受圧部１４ｂ及び切換弁８０の受圧部８０ｂには、走行操作検出回路７０のシャトル弁７０ａ，７０ｂ，７０ｃ及び信号圧力ライン３６を介してタンク圧が導かれる。このとき、図６に示したようにメインリリーフ弁１４のセット圧PSはバネで設定された第１の値PS1であり、切換弁８０は図示の中立位置にあり、開口部P-Aの開口面積AP-Aは最大AP-Amaxで、開口部A-Tの開口面積AA-Tは０である。
【００８０】
また、全ての操作装置の操作レバーが中立であるので、全ての流量制御弁６ａ〜６ｈが中立位置となる。全ての流量制御弁６ａ〜６ｈが中立位置なので、最高負荷圧検出回路９は、最高負荷圧Plmaxとしてタンク圧を検出する。この最高負荷圧Plmaxはアンロード弁１５に導かれる。
【００８１】
アンロード弁１５に最高負荷圧Plmaxとしてタンク圧が導かれるので、タンク圧が０であると仮定すると、アンロード弁１５のセット圧は、受圧部１５ａに印加される原動機回転数検出弁１３の出力圧PGR（目標LS差圧）とバネ１５ｂの付勢力の圧力換算値とを加算した値であり、圧油供給路５の圧力Ppは、そのセット圧により、目標LS差圧PGRにバネ１５ｂの付勢力の圧力換算値を加算した圧力に保たれる（Pp＞PGR）。
【００８２】
また、最高負荷圧Plmaxは絞り１７を介して絞り１７の下流側に導かれ、絞り１７の下流側の最高負荷圧Plmaxaが差圧減圧弁１１と信号圧可変リリーフ弁１６に導かれる。前述のように、このときの信号圧可変リリーフ弁１６のセット圧はPS1−（PGR−α）であり、タンク圧に保たれているPlmaxよりも遥かに高いので、Plmaxは信号圧可変リリーフ弁１６によって制限されずに、Plmaxa＝Plmaxとなる。
【００８３】
差圧減圧弁１１は圧油供給路５の圧力（メインポンプ２の吐出圧）Ppと最高負荷圧Plmaxa（＝Plmax）との差圧（Pp−Plmaxa）を絶対圧Plsとして出力する
全ての操作装置の操作レバーが中立の場合には、前述のようにPlmaxa（＝Plmax）はタンク圧であるため、タンク圧が０であると仮定すると、Pls＝Pp−Plmaxa=Pp＞PGRの関係が成り立っている。
【００８４】
前述したように切換弁８０は図示の中立位置にあるので、差圧減圧弁１１から出力された絶対圧PlsはフィードバックLS差圧としてレギュレータ１２のＬＳ制御弁１２ｂに導かれる。ＬＳ制御弁１２ｂは、PlsとPGRを比較し、Pls＞PGRであるので、ＬＳ制御弁１２ｂは図１で左方向に押されて右側の位置に切り換わり、パイロットリリーフ弁３２によって生成される一定のパイロット一次圧PpiをＬＳ制御ピストン１２ｃに導く。ＬＳ制御ピストン１２ｃに一定のパイロット一次圧Ppiが導かれるので、メインポンプ２の容量（流量）は最小に保たれる。
【００８５】
（ｂ）走行以外の操作装置の操作レバーを入力した場合
走行以外の操作装置の操作レバーを入力した場合、メインリリーフ弁１４の受圧部１４ｂ及び信号圧可変リリーフ弁１６の受圧部１６ｃには、（ａ）の場合と同様に、走行操作検出回路７０のシャトル弁７０ａ，７０ｂ，７０ｃ及び信号圧力ライン３６を介してタンク圧が導かれる。このとき、図２に示したように、メインリリーフ弁１４のセット圧はバネ１４ａで設定された第１の値PS1であり、切換弁８０は図示の中立位置にあり、開口部P-Aの開口面積AP-Aは最大AP-Amaxで、開口部A-Tの開口面積AA-Tは０となる。
【００８６】
走行以外の操作装置の操作レバー、例えばブーム操作レバーを入力した場合を考える。
【００８７】
ブーム操作レバーをブームシリンダ３ａが伸長する向き、つまりブーム上げ方向に入力すると、ブーム用のパイロットバルブユニット６０ａによってブーム上げの操作パイロット圧a1が出力され、流量制御弁６ａが図１で右方向に切り換わる。流量制御弁６ａが中立位置から切り換わると、ブームシリンダ３ａに圧油が供給されるとともに、ブームシリンダ３ａの負荷圧が流量制御弁６ａの負荷ポートを介してシャトル弁９ａ，９ｂ，９ｃ，９ｄ，９ｅ，９ｆ，９ｇを含む最高負荷圧検出回路９によって最高負荷圧Plmaxとして検出され、この最高負荷圧Plmaxがアンロード弁１５に導かれるとともに、絞り１７の下流側に導かれ、絞り１７の下流側において最高負荷圧Plmaxaが差圧減圧弁１１に導かれる。
【００８８】
最高負荷圧Plmaxがアンロード弁１５に導かれることによって、アンロード弁１５のセット圧は、受圧部１５ａに印加される原動機回転数検出弁１３の出力圧PGR（目標LS差圧）とバネ１５ｂの付勢力の圧力換算値と最高負荷圧Plmax（ブームシリンダ３ａのボトム側の負荷圧）を加算した圧力（PGR＋バネ１５ｂの付勢力の圧力換算値＋Plmax）に上昇し、圧油供給路５の圧油をタンクに排出する油路を遮断する。
【００８９】
一方、信号圧可変リリーフ弁１６のセット圧は前述のようにPS1−（PGR−α）であり、絞り１７の下流側における最高負荷圧Plmaxaの最大圧力はPS1−（PGR−α）に制限される。
【００９０】
差圧減圧弁１１は、圧油供給路５の圧力（メインポンプ２の吐出圧）Ppと最高負荷圧Plmaxaとの差圧（Pp−Plmaxa）を絶対圧Plsとして出力する。
【００９１】
前述したように切換弁８０は図示の中立位置にあるので、差圧減圧弁１１から出力された絶対圧PlsはフィードバックLS差圧としてレギュレータ１２のＬＳ制御弁１２ｂに導かれる。ＬＳ制御弁１２ｂは、PlsとPGRを比較する。
【００９２】
ブーム上げの操作レバーを入力した直後は、メインポンプ２の吐出圧Ppはブームシリンダ３ａの負荷圧に比べて低いため（Pp＜Plmax）、差圧減圧弁１１から出力される絶対圧PlsはPls＝Pp−Plmaxa＜PGRとなる。
【００９３】
レギュレータ１２のＬＳ制御弁１２ｂは、Pls＜PGRであるため、図１で右方向に押されて左側の位置に切り換わり、ＬＳ制御ピストン１２ｃの圧油をタンクに放出し、メインポンプ２の傾転（容量）を増加させる。メインポンプ２の傾転増加は、Pls=PGR、すなわちPp＝Plmaxa＋PGRになるまで継続する。
【００９４】
メインポンプ２から圧油供給路５に吐出された圧油は、圧力補償弁７ａ、流量制御弁６ａを介してブームシリンダ３ａのボトム側に供給され、ブームシリンダ３ａを伸長させる。ブームシリンダ３ａが伸長しストロークエンドに達すると、ブームシリンダ３ａの負荷圧及び圧油供給路５の圧力（メインポンプ２の吐出圧）Ppは、メインリリーフ弁１４のセット圧PS1まで上昇する。
【００９５】
図６の左側（ａ）は、走行以外の操作装置の操作レバーを入力し、メインポンプ２の吐出圧Ppがメインリリーフ弁１４のセット圧PS1に達したときの吐出圧Ppと信号圧可変リリーフ弁１６によって最大圧力が制限された最高負荷圧Plmaxaとの関係を示す図である。
【００９６】
図６の左側（ａ）に示すように、メインリリーフ弁１４のセット圧がPS1であるため、圧油供給路５の圧力（メインポンプ２の吐出圧）PpはPS1まで上昇する。
【００９７】
一方、信号圧可変リリーフ弁１６によって、最高負荷圧Plmaxaはそのセット圧PS1−（PGR−α）に制限される。その結果、差圧減圧弁１１から出力される絶対圧Plsは、
Pls＝Pp−Plmaxa＝PS1−（PS1−（PGR−α））＝PGR−α
となる。ここで、αは前述のように０より大きくPGR未満の値であるので、
０＜Pls＜PGR
となる。
【００９８】
これによりブームシリンダ３ａがストロークエンドに達してその負荷圧がメインリリーフ弁１４のセット圧PS1に達した場合においても、フィードバックLS差圧Plsが０になることがないため、圧力補償弁７ａ〜７ｈが全閉にならず、その状態で他のアクチュエータを複合操作している場合でも、他のアクチュエータの動作が停止することがない。
【００９９】
また、信号圧可変リリーフ弁１６の受圧部１６ｂには原動機回転数検出弁１３によって出力され目標LS差圧となる絶対圧PGRが導かれ、目標LS差圧PGRが小さくなるにしたがって信号圧可変リリーフ弁１６のセット圧PAが大きくなり差圧減圧弁１１から出力される絶対圧Pls（Pp−Plmaxa）が小さくなる。このため、原動機回転数の変化で目標LS差圧PGRがいかなる値に変化したとしても、信号圧可変リリーフ弁１６によって最高負荷圧Plmaxaの最大圧力がPS1−（PGR−α）に制限され、メインポンプ２の吐出圧Ppと絞り１７の下流側における最高負荷圧Plmaxaとの差圧Plsは目標LS差圧PGRに応じて変化するので、原動機１の回転数によらず、良好な複合操作性を得ることができる。
【０１００】
（ｃ）走行操作装置の操作レバーを入力した場合
走行用の操作装置１２４ａ，１２４ｂのいずれか或いは両方の操作レバーを入力した場合、走行操作検出回路７０のシャトル弁７０ａ，７０ｂ，７０ｃによって高圧選択され、メインリリーフ弁１４の受圧部１４ｂと信号圧可変リリーフ弁１６の受圧部１６ｃに導かれた走行操作信号圧力Ptpiが閾値Ptr以上になると、図２に示したように、メインリリーフ弁１４のセット圧は、バネ１４ａで設定した第1の値PS1に走行操作信号圧力Ptpiに基づく値を加算した第２の値PS2に増加する。また、切換弁８０は図示の中立位置から左側の位置に切り換わり、開口部P-Aの開口面積AP-Aは０で、開口部A-Tの開口面積AA-Tは最大AA-Tmaxとなる。
【０１０１】
このように切換弁８０が図示の中立位置から左側の位置に切り換わると、ＬＳ制御弁１２ｂの受圧部１２ｂ１の圧油がタンクに放出されるので、ＬＳ制御弁１２ｂは受圧部１２ｂ２に印加されるPGRにより図示左側の位置に切り換わり、ＬＳ制御ピストン１２ｃの圧油がタンクに放出され、メインポンプ２は傾転を増加させる。
【０１０２】
つまり、走行操作信号圧力Ptpiが閾値Pt1r以上になり、切換弁８０が図示の中立位置から切り換わると、メインポンプ２の吐出圧Ppと最高負荷圧Plmaxaとの差圧である絶対圧Pls如何に係わらずレギュレータ１２のロードセンシング制御部はロードセンシング制御を停止し、メインポンプ２の容量を増加させる制御を行うよう制御を切り換える。これによりメインポンプ２は、レギュレータ１２のトルク制御部により、制限トルクの範囲内で最大容量となるよう制御され、制限トルクに対応した最大馬力の範囲内で最大流量を吐出するようになる。
【０１０３】
ここで、走行用操作装置１２４ａの左走行パイロットバルブユニット６０ｆの図中左側のパイロットバルブ（減圧弁）が操作された場合を考える。パイロットバルブの操作パイロット圧ｆ１が、流量制御弁６ｆの図１で左側に導かれるので、流量制御弁６ｆが右方向に押されて左側の位置に切り換わる。これにより走行モータ３ｆの図１で左側のポートに圧油が供給されるとともに、左走行モータ３ｆの負荷圧が流量制御弁６ｆの負荷ポート、シャトル弁９ｅ，９ｆ，９ｇを経由して最高負荷圧Plmaxとして検出され、この最高負荷圧Plmaxがアンロード弁１５に導かれるとともに、絞り１７を介して絞り１７の下流側に導かれ、最高負荷圧Plmaxaとして差圧減圧弁１１と信号圧可変リリーフ弁１６に導かれる。
【０１０４】
最高負荷圧Plmaxがアンロード弁１５に導かれることによって、アンロード弁１５のセット圧は、受圧部１５ａに印加される原動機回転数検出弁１３の出力圧PGR（目標LS差圧）とバネ１５ｂの付勢力の圧力換算値と最高負荷圧Plmax（左走行モータ３ｆの負荷圧）を加算した圧力（PGR＋バネ１５ｂの付勢力の圧力換算値＋Plmax）に上昇し、圧油供給路５の圧油をタンクに排出する油路を遮断する。
【０１０５】
一方、信号圧可変リリーフ弁１６のセット圧は前述のようにPS1−（PGR−α）であり、絞り１７の下流側における最高負荷圧Plmaxaの最大圧力がPS1−（PGR−α）に制限される。
【０１０６】
差圧減圧弁１１は、圧油供給路５の圧力（メインポンプ２の吐出圧）Ppと絞り１７の下流側における最高負荷圧Plmaxaとの差圧（Pp−Plmaxa）を絶対圧Plsとして出力し、この絶対圧PlsはフィードバックLS差圧として、切換弁８０が配置されレギュレータ１２のＬＳ制御弁１２ｂに接続された信号圧力ライン５３に導かれる。
【０１０７】
ここで、前述したように、切換弁８０は図示の中立位置から左側の位置に切り換えられており、レギュレータ１２はロードセンシング制御を停止し、メインポンプ２はトルク制御部に設定された制限トルクの範囲内で最大となるよう容量が制御され、最大流量を吐出する。
【０１０８】
メインポンプ２から圧油供給路５に吐出された圧油は、圧力補償弁７ｆ、流量制御弁６ｆを介して左走行モータ３ｆに供給され、左走行モータ３ｆを回転させるとともに、余剰になった圧油は、アンロード弁１５によりタンクに放出される。
【０１０９】
ここで、左走行モータ３ｆの負荷圧が障害物や登坂走行面の傾斜などにより増加し、回転が停止すると、左走行モータ３ｆの負荷圧及び圧油供給路５の圧力（メインポンプ２の吐出圧）Ppが上昇し、走行操作検出回路７０によって検出された走行操作信号圧力Ptpiが閾値Ptr1以上である場合には、図２に示したようにメインリリーフ弁１４のセット圧がPS2となるため、圧油供給路５の圧力（メインポンプ２の吐出圧）PpはPS2まで上昇する。
【０１１０】
図６の右側（ｂ）は、走行操作装置の操作レバーを入力しかつ走行操作信号圧力Ptpiが閾値Ptr以上であり、メインポンプ２の吐出圧Ppがメインリリーフ弁１４のセット圧PS2に達したときの吐出圧Ppと信号圧可変リリーフ弁１６によって最大圧力が制限された最高負荷圧Plmaxaとの関係を示す図である。
【０１１１】
図６の右側（ｂ）に示すように、メインリリーフ弁１４のセット圧がPS2であるため、圧油供給路５の圧力（メインポンプ２の吐出圧）PpはPS2まで上昇する。
一方、絞り１７の下流側における最高負荷圧Plmaxaは、信号圧可変リリーフ弁１６のセット圧がPS1−（PGR−α）であるため、そのセット圧PS1−（PGR−α）に制限される。その結果、差圧減圧弁１１から出力される絶対圧Plsは、
Pls＝Pp−Plmaxa＝PS2−（PS1−（PGR−α））＝PGR＋（PS2−PS1）−α
となる。ここで、PS2−PS1がPGR以上の値（例えばPGRが１．２MPaである場合にPS2−PS1を１．５MPa）となるようにPS2を設定すれば、αは前述のように０より大きくPGR未満の値であるので、
０＜Pls＜PGR
となる。
【０１１２】
つまり、左走行モータ３ｆの負荷圧がメインリリーフ弁１４のセット圧PS2に達しようとした場合に、ロードセンシング制御を停止し、メインポンプ２がトルク制御の制限トルクの範囲内で最大流量を吐出するので、メインポンプ２の吐出圧（左走行モータ３ｆの負荷圧）はメインリリーフ弁１４のセット圧PS2まで上昇し、比較例のようにメインポンプ２のロードセンシング制御が原因で左走行モータ３ｆの負荷圧がPS2に達しないようなことはない。
【０１１３】
更に、左走行モータ３ｆの負荷圧がメインリリーフ弁１４のセット圧PS2に達した場合に、差圧減圧弁１１から目標補償差圧として出力される絶対圧Plsが０にならないので、その状態で他のアクチュエータを複合操作している場合でも、その他のアクチュエータが動作を停止することがない。
【０１１４】
また、上記（ｂ）の走行以外の操作装置の操作レバーを入力した場合と同様、信号圧可変リリーフ弁１６の受圧部１６ｂには原動機回転数検出弁１３によって出力され目標LS差圧となる絶対圧PGRが導かれているため、原動機回転数の変化で目標LS差圧PGRがいかなる値に変化したとしても、信号圧可変リリーフ弁１６によって最高負荷圧Plmaxaの最大圧力が目標LS差圧PGRに応じて制限されるので、原動機１の回転数によらず、良好な複合操作性を得ることができる。
【０１１５】
〜効果〜
以上のように本実施の形態においては、切換弁８０を設け、走行用の操作装置１２４ａ，１２４ｂの少なくとも１つが操作され、走行操作信号圧力Ptpiが閾値Ptr以上となってメインリリーフ弁１４のセット圧PSが第１の値PS1から第２の値PS2に増加したときに、メインポンプ２の吐出圧Ppと最高負荷圧Plmaxaとの差圧である絶対圧Pls如何に係わらずレギュレータ１２（ポンプ制御装置）のロードセンシング制御部がロードセンシング制御を停止し、メインポンプ２の容量を増加させる制御を行うように制御を切り換え、レギュレータ１２のトルク制御部が制限トルクの範囲内で最大となるようメインポンプ２の容量を制御することを可能としたため、左走行モータ３ｆの負荷圧がメインリリーフ弁１４のセット圧PS2に達しようとした場合に、図６Ｂに示すようにロードセンシング制御でメインポンプの吐出圧PpをPS2まで上昇させることができ、走行時に走行モータ３ｆ，３ｇの必要な出力トルクを確保し、走破性を向上させることができる。
【０１１６】
また、左走行モータ３ｆの負荷圧がメインリリーフ弁１４のセット圧の第２の値PS2に達した場合においても、差圧減圧弁１１から目標補償差圧として出力される絶対圧Plsが０にならないので、その状態で他のアクチュエータを複合操作している場合でも、その他のアクチュエータが動作を停止することがなく、良好な複合操作性が保たれる。
【０１１７】
更に、信号圧可変リリーフ弁１６の受圧部１６ｂには原動機回転数検出弁１３によって出力され目標LS差圧となる絶対圧PGRが導かれているため、原動機回転数の変化で目標LS差圧PGRがいかなる値に変化したとしても、信号圧可変リリーフ弁１６によって最高負荷圧Plmaxaの最大圧力がPS1−（PGR−α）に制限されるので、原動機１の回転数によらず、良好な複合操作性を得ることができる。
＜第２の実施の形態＞
〜構成〜
図７は、本発明の第２の実施の形態に係わる油圧ショベル（建設機械）の油圧駆動装置を示す図である。
【０１１８】
図７において、本実施の形態の油圧駆動装置は、差圧減圧弁１１から出力された絶対圧Plsをレギュレータ１２のＬＳ制御弁１２ｂに導く信号圧力ライン５３に配置された切換弁８０に代えて、ＬＳ制御弁１２ｂの元圧（一次圧）であるパイロットリリーフ弁３２によって生成された一定のパイロット圧PpiをＬＳ制御弁１２ｂに導くパイロット油路３２ｄに配置された切換弁８１を備えている。走行操作検出回路７０によって検出された走行操作信号圧力Ptpiはメインリリーフ弁１４にセット圧PSの一部として導かれるとともに、切換弁８１にも切換駆動圧力として導かれる。
【０１１９】
切換弁８１は、パイロットリリーフ弁３２によって生成された一定のパイロット圧PpiをＬＳ制御弁１２のＰポート（パイロット一次圧ポート）に導く方向に作動する側の端部にバネ８１ａを有し、ＬＳ制御弁１２のＰポートをタンクに接続する方向に作動する側の端部に受圧部８１ｂを有し、受圧部８１ｂに走行操作検出回路７０によって検出された走行操作信号圧力Ptpiがバネ８１ａと対向する向きに導かれている。受圧部８１ｂに導かれた走行操作信号圧力Ptpiがバネ８１ａで設定した圧力よりも低いとき、切換弁８１は図示の中立位置にあって、一定のパイロット圧PpiをＬＳ制御弁１２のＰポートに導き、走行操作信号圧力Ptpiがバネ８１ａで設定した圧力以上になると、切換弁８１は図示の中立位置から切り換わって、ＬＳ制御弁１２のＰポートにタンク圧を導く。これにより切換弁８１は、走行用の操作装置１２４ａ，１２４ｂのいずれも操作されておらず、走行操作信号圧力Ptpiがタンク圧であり、メインリリーフ弁１４のセット圧PSが第１の値PS1にあるときは、中立位置にあって、ＬＳ制御弁１２ｂによるＬＳ制御ピストン（容量制御アクチュエータ）１２ｃの駆動圧力の制御を可能とし、走行用の操作装置１２４ａ，１２４ｂの少なくとも１つが操作され、走行操作信号圧力Ptpiが閾値Ptr1以上となり、メインリリーフ弁１４のセット圧PSが第１の値PS1から第２の値PS2に増加したときは、中立位置から切り換わって、ＬＳ制御弁１２ｂによるＬＳ制御ピストン（容量制御アクチュエータ）１２ｃの駆動圧力の制御を不能とし、メインポンプ２の容量が増加するようＬＳ制御ピストン１２ｃの駆動圧力を制御する。
【０１２０】
言い換えれば、切換弁８１は、第１の実施の形態の切換弁８０と同様、走行用の操作装置１２４ａ，１２４ｂの少なくとも１つが操作され、走行操作信号圧力Ptpiが閾値Ptr1以上となり、メインリリーフ弁１４のセット圧PSが第１の値PS1から第２の値PS2に増加したときは、ＬＳ制御弁１２の制御（ロードセンシング制御）を停止し、メインポンプ２の容量を増加させ、トルク制御部の制限トルクの範囲内でメインポンプ２の容量が最大となるようレギュレータ１２（ポンプ制御装置）の制御を切り換える。
【０１２１】
ここで、バネ８１ａで設定される切換弁８１の切換圧力は、メインリリーフ弁１４のセット圧PSが第１の値PS1から第２の値PS2に増加するときの走行操作信号圧力Ptpiの閾値Ptr1と同じかそれ以下に設定されている。これにより切換弁８１は、メインリリーフ弁１４のセット圧が第１の値PS1から第２の値PS2に増加するときに確実に中立位置から切り換わり、トルク制御部の制限トルクの範囲内でメインポンプ２の容量が最大となるようＬＳ制御ピストン１２ｃの駆動圧力を制御することができる。
【０１２２】
一定のパイロット圧PpiをＬＳ制御弁１２のＰポート（パイロット一次圧ポート）に導く切換弁８１の開口部をP-A、ＬＳ制御弁１２のＰポートをタンクに接続する切換弁８１の開口部をA-Tとするとき、走行操作信号圧力Ptpiに対する切換弁８１の開口部P-A及び開口部A-Tのそれぞれの開口面積AP-A，AA-Tの変化は、第１の実施の形態における図２の下段に示した切換弁８０の開口面積AP-A，AA-Tの変化と同じである。
【０１２３】
図２の下段において、走行操作信号圧力Ptpiが閾値Ptr2（＜Ptr1）よりも低いとき、切換弁８１の開口部P-Aの開口面積AP-Aは最大AP-Amaxであり、開口部A-Tの開口面積AA-Tは０である。走行操作信号圧力Ptpiが閾値Ptr3（＜Ptr1でかつ＞Ptr2）以上になると、切換弁８１の開口部P-Aの開口面積AP-Aは０となり、開口部A-Tの開口面積AA-Tは最大AA-Tmaxとなる。
【０１２４】
〜作動〜
第１の実施の形態との違いは、切換弁８０の代わりに切換弁８１を設けたことであるから、切換弁８１の動作を中心に以下詳細に説明する。
【０１２５】
全ての操作装置の操作レバーが中立の場合と走行以外の操作装置の操作レバーを入力した場合の動作は、切換弁８１は動作しないので、第１の実施の形態と同じである。
【０１２６】
走行用の操作装置１２４ａ，１２４ｂのいずれか或いは両方の操作レバーを入力した場合、走行操作検出回路７０のシャトル弁７０ａ，７０ｂ，７０ｃによって高圧選択され、メインリリーフ弁１４の受圧部１４ｂと信号圧可変リリーフ弁１６の受圧部１６ｃに導かれた走行操作信号圧力Ptpiが閾値Ptr以上になると、図２に示したように、メインリリーフ弁１４のセット圧は、バネ１４ａで設定した第1の値PS1に走行操作信号圧力Ptpiに基づく値を加算した第２の値PS2に増加する。また、切換弁８１は図示の中立位置から上側の位置に切り換わり、開口部P-Aの開口面積AP-Aは０で、開口部A-Tの開口面積AA-Tは最大AA-Tmaxとなる。
【０１２７】
このように切換弁８１が図示の中立位置から上側の位置に切り換わると、ＬＳ制御弁１２のＰポートがタンクに接続される。このとき、Pls＞PGRの場合は、ＬＳ制御弁１２は図示右側の位置にあるため、ＬＳ制御弁１２ｂと切換弁８１を介してＬＳ制御ピストン１２ｃの圧油がタンクに放出され、メインポンプ２は傾転を増加させる。
【０１２８】
一方、Pls＜PGRの場合には、比較例や第１の実施の形態と同様に、ＬＳ制御弁１２が図示の位置から左側の位置に切り換わり、ＬＳ制御弁１２を介してＬＳ制御ピストン１２ｃの圧油がタンクに放出され、メインポンプ２は傾転を増加させる。
【０１２９】
つまり、走行操作信号圧力Ptpiが閾値Pt1r以上になり、切換弁８１が切り換わると、メインポンプ２の吐出圧Ppと最高負荷圧Plmaxaとの差圧である絶対圧Plsがいかなる状態であっても、レギュレータ１２はロードセンシング制御を停止し、トルク制御の制限トルクの範囲内で最大流量を吐出する。
【０１３０】
〜効果〜
したがって、本実施の形態によっても、第１の実施の形態と同じ効果を得ることができる。
【０１３１】
〜その他〜
以上の実施の形態では、建設機械が油圧ショベルであり、メインリリーフ弁１４のセット圧を増加させる場合に操作される特定のアクチュエータが走行モータ３ｆ，３ｇである場合について説明したが、特定のアクチュエータは走行モータ以外のアクチュエータであってもよいし、１つのアクチュエータでも複数のアクチュエータであってもよい。例えば、特定のアクチュエータはブームシリンダ３ａ、アームシリンダ３ｂ、バケットシリンダ３ｄの少なくとも１つであってもよく、このようなアクチュエータが操作されたときにメインリリーフ弁１４のセット圧を増加させることで、例えば掘削積み荷作業における掘削力や作業速度を増大させることができ、作業効率を向上することができる。
【０１３２】
また、メインリリーフ弁１４のセット圧を増加させることで駆動力を増大させることが好ましいアクチュエータを備えた建設機械であれば、油圧走行クレーン等、油圧ショベル以外の建設機械に本発明を適用してもよい。
【０１３３】
また、上記実施の形態では、切換弁８０，８１は油圧切換弁とし、走行操作を油圧信号である走行操作信号圧力Ptpiによって検出し、この油圧信号によって切換弁８０，８１を切り換える構成としたが、走行操作を電気的に検出する手段を備える場合は、切換弁８０，８１を電磁切換弁とし、電気信号で切り換える構成としてもよい。更に、切換弁８０，８１はＬＳ制御弁１２ｂからＬＳ制御ピストン１２ｃに導かれる駆動圧力を直接的（切換弁８１）或いは間接的（切換弁８０）に制御する方式としたが、ＬＳ制御ピストン１２ｃに独立した油路を接続し、この油路に開閉弁（切換弁）を配置し、走行操作信号圧力Ptpiが閾値Ptr以上となったとき、開閉弁を開いてＬＳ制御ピストン１２ｃをタンクに接続するようにしてもよい。
【０１３４】
また、上記実施の形態では、メインポンプ２の吐出圧と最高負荷圧Plmaxaを絶対圧として出力する差圧減圧弁１１を設け、その出力圧Plsを圧力補償弁７ａ〜７ｈに導いて目標補償差圧を設定しかつフィードバック差圧としてＬＳ制御弁１２ｂに導いたが、差圧減圧弁１１を設けずに、メインポンプ２の吐出圧と最高負荷圧を別々の油路で圧力制御弁７ａ〜７ｈやＬＳ制御弁１２ｂに導くようにしてもよい。
【０１３５】
更に、上記実施の形態では、目標LS差圧を原動機回転数検出弁１３から出力される絶対圧PGRによって、原動機１の回転数に応じて変化する値として設定したが、原動機の回転数に応じて目標LS差圧を変化させる必要がない場合は、目標LS差圧は固定値であっても良い。
【符号の説明】
【０１３６】
１  原動機
２  メインポンプ（油圧ポンプ）
３ａ〜３ｈ  アクチュエータ
３ｆ，３ｇ  走行モータ（特定のアクチュエータ）
４  コントロールバルブユニット
５  圧油供給路
６ａ〜６ｈ  流量制御弁
７ａ〜７ｈ  圧力補償弁
９  最高負荷圧ライン
９ａ〜９ｇ  シャトル弁
１１  差圧減圧弁
１２  レギュレータ（ポンプ制御装置）
１２ｂ  ＬＳ制御弁
１２ｃ  ＬＳ制御ピストン（容量制御アクチュエータ）
１２ｄ  トルク制御ピストン（容量制御アクチュエータ）
１３  原動機回転数検出弁
１４  メインリリーフ弁
１４ａ  メインリリーフ弁のバネ
１４ｂ  メインリリーフ弁の受圧部
１５  アンロード弁
１６  信号圧可変リリーフ弁（信号圧リリーフ弁）
１６ａ  信号圧可変リリーフ弁のバネ
１６ｂ  信号圧可変リリーフ弁の受圧部
１７  絞り
２４  ゲートロックレバー
３０              パイロットポンプ
３１ａ，３１ｂ，３１ｃ  パイロット圧油供給路
３２  パイロットリリーフ弁
５０  流量検出弁
５１  差圧減圧弁
６０ａ〜６０ｈ  パイロットバルブユニット
６０ｆ，６０ｇ  走行用パイロットバルブユニット
７０  走行操作検出回路
７０ａ〜７０ｃ  シャトル弁
８０，８１  切換弁
８０ａ，８１ａ  バネ
８０ｂ，８１ｂ  受圧部
１００  ゲートロック弁
１３１  最高負荷圧検出回路
１２４ａ，１２４ｂ  走行用の操作装置
【図１】
2016008624.tif 000003
【図２】
2016008624.tif 000004
【図３】
2016008624.tif 000005
【図４】
2016008624.tif 000006
【図５】
2016008624.tif 000007
【図６】
2016008624.tif 000008
【図７】
2016008624.tif 000009